(57)【要約】【課題】  営業損失を抑えることができる精算装置を提供する。【解決手段】  精算装置が薙ぎ倒され傾斜センサが一定時間オン作動した際には（Ｓ１）、警報器に信号を出力して回転灯を点灯するとともにサイレンを鳴らす（Ｓ２）。また、通信機器へ信号を出力し、当該精算装置の筐体が傾斜している旨を、管理会社の管理側装置と警備会社の警備側装置とに通報する（Ｓ３）。これにより、管理側装置や警備側装置が設置された管理会社や警備会社では、精算装置の修理に向かうなどの緊急対応を迅速に取ることができる。【選択図】        図４
2005316789.tif 000002
【特許請求の範囲】
【請求項１】
複数の駐車区画が設けられた駐車場に設置され、各駐車区画での駐車時間に応じた駐車料金を精算して筐体の内部に現金を収容する精算装置において、
前記筐体が傾斜したことを検出する傾斜検出手段と、
該傾斜検出手段が前記筐体の傾斜を検出した際に、その旨をネットワークを介して管理側装置へ送信する送信手段と、
を備えたことを特徴とする精算装置。
【発明の詳細な説明】
【技術分野】
【０００１】
本発明は、駐車料金の精算を行う精算装置に関する。
【背景技術】
【０００２】
従来、時間貸しの駐車場には、複数の駐車区画が設けられており、各駐車区画には、対応した駐車区画での駐車状態を確認するとともに、駐車車両を拘束する駐車装置が設けられている。
【０００３】
また、前記駐車場には、駐車料金の精算を行う精算装置が設けられており、当該駐車場には、この精算装置と各駐車区画に設けられた駐車装置とを接続するネットワークが構築されている。
【０００４】
これにより、各駐車区画での駐車時間に応じた駐車料金を前記精算装置で精算することによって、精算済みの駐車区画における車両の拘束状態を解除できるように構成されている。
【発明の開示】
【発明が解決しようとする課題】
【０００５】
しかしながら、前述した精算装置にあっては、現金が収容されているため、薙ぎ倒されて破壊され、内部の現金が抜き取られる盗難事件が多発している。
【０００６】
また、この精算装置は、出入口付近に設置されるため、利用者が車両を誤って精算装置に衝突させてしまうこともあった。
【０００７】
これらによって精算装置が破損した場合、発見するまで多大な営業損失が発生するという問題があった。
【０００８】
本発明は、このような従来の課題に鑑みてなされたものであり、営業損失を抑えることができる精算装置を提供することを目的とするものである。
【課題を解決するための手段】
【０００９】
前記課題を解決するために本発明の精算装置にあっては、複数の駐車区画が設けられた駐車場に設置され、各駐車区画での駐車時間に応じた駐車料金を精算して筐体の内部に現金を収容する精算装置において、前記筐体が傾斜したことを検出する傾斜検出手段と、該傾斜検出手段が前記筐体の傾斜を検出した際に、その旨をネットワークを介して管理側装置へ送信する送信手段と、を備えている。
【００１０】
すなわち、当該精算装置の筐体が薙ぎ倒された際には、該筐体が傾斜したことが検出され、その旨がネットワークを介して管理側装置へ送信される。
【００１１】
これにより、該管理側装置が設けられた管理会社等にあっては、精算装置の筐体が薙ぎ倒されたことを知ることができるため、修理に向かうなどの緊急対応が迅速に行われる。
【発明の効果】
【００１２】
以上説明したように本発明の精算装置にあっては、精算装置の筐体が薙ぎ倒され、内部の現金が持ち去られたり、料金精算が出来ない恐れがある場合には、その旨を管理会社等に設けられた管理側装置へ送信することで、当該管理会社等では、当該精算装置の点検や修理に向かうなどの迅速な対応を取ることができる。
【００１３】
これにより、次の点検時期まで精算装置の異常を発見することができない場合と比較して、盗難の抑止効果や迅速なメインテナンスによる二次被害を軽減することができる。よって、営業損失を最小限に抑えることができる。
【発明を実施するための最良の形態】
【００１４】
以下、本発明の一実施の形態を図面に従って説明する。図１は、本実施の形態にかかる精算装置１が設置された時間貸しの駐車場２を示す図であり、この駐車場２には、複数の駐車区画３，・・・が設定されている。
【００１５】
各駐車区画３，・・・は、図２にも示すように、白線枠１１によって区画形成されており、各駐車区画３の奥側には、左右のタイヤに当接して車両の奥側への移動を規制する輪止め１２，１２が設けられている。一方の輪止め１２の手前側には、フラップユニット１３が設けられており、該フラップユニット１３には、起立状態と傾倒状態との間で回動されるフラップ１４が設けられている。
【００１６】
このフラップ１４は、前記フラップユニット１３内に設けられた駆動機構で駆動されるように構成されており、前記傾倒状態において当該フラップ１４上のタイヤの通過を許容できるように構成されている。また、前記起立状態では、前記タイヤに当接することで、該タイヤを当該フラップ１４と前記車止め１２との間に拘束するように構成されており、この状態で駐車した車両を当該駐車区画３内に拘束できるように構成されている。
【００１７】
このフラップユニット１３には、投光部２１が設けられており、該投光部２１は、当該駐車区画３の奥側へ向けて光を投光するように構成されている。また、前記駐車区画３の奥側角部には、ポール２２が立設されており、該ポール２２の上端部には、前記投光部２１からの光を受光する受光部２３が設けられている。前記投光部２１から前記受光部２３へ向けた光の光路２４は、当該駐車区画３内に形成されており、前記輪止め１２上を通過するように設定されている。そして、前記受光部２３は、図外の制御部に接続されており、該制御部において、前記受光部２３が光を受光しているか否かが検出されるように構成されている。
【００１８】
これにより、前記駐車区画３内に車両が駐車された際には、前記投光部２１から前記受光部２３への光路２４が駐車車両によって遮られ、前記受光部２３で光が受光されなくなるため、当該駐車区画３内に車両が駐車されたことを検出できるように構成されている。また、この駐車区画３から車両が退出した際には、前記投光部２１からの光が前記受光部２３で受光されることによって、当該駐車区画３から車両が退出したことを確認できるように構成さており、前記投光部２１と前記受光部２３とによって駐車区画３内での車両の有無を検出する車両センサ２５が構成されている。
【００１９】
前記精算装置１は、図１に示したように、当該駐車場２の出入口３１の近傍に設けられている。この精算装置１は、前記各駐車区画３，・・・での駐車時間に応じた駐車料金を精算する装置であり、図３に示すように、精算時に入金された現金を保管する現金保管部３２が筐体３３内に設けられている。
【００２０】
この筐体３３内には、当該筐体３３が傾斜したことを検出する傾斜センサ４１が設けられており、この傾斜センサ４１としては、例えば内部のボールの転がりを利用して回路を開閉するセンサが挙げられる。この傾斜センサ４１は、内部に設けられた制御回路４２に接続されており、該制御回路４２で当該筐体３３の傾斜状態を検出できるように構成されている。
【００２１】
この制御回路４２は、当該駐車場２に構築されたローカルエリアネットワーク５１を介して、前記車両センサ２５の投光部２１及び前記受光部２３が接続された制御部と前記フラップユニット１３とに通信可能に接続されており、各駐車区画３での駐車状態を検出するとともに、各駐車区画３のフラップユニット１３を制御できるように構成されている。これにより、各駐車区画３での駐車時間に応じた駐車料金を前記精算装置１で精算することで、精算済みの駐車区画３における車両の拘束状態を解除できるように構成されている。
【００２２】
前記精算装置１には、回転灯やサイレン等の警報器６１が設けられており、該警報器６１は、前記制御回路４２からの信号に応じて動作するように構成されている。該制御回路６１には、通信機器６２が接続されており、該通信機器６２は、ネットワークを構築する電話回線６３を介して、複数箇所の駐車場２を管理する管理会社の管理側装置６４、及び警備会社に設けられた警備側装置６５と通信可能に接続できるように構成されている。
【００２３】
これにより、各駐車区画３での各状態及び前記精算装置１での各状態を、前記通信機器６２を介して、前記管理側装置６４及び警備側装置６５と遣り取りできるように構成されており、前記傾斜センサ４１が前記筐体３３の傾斜を検出した際には、その旨を前記管理装置６４及び前記警備側装置６５へ送信できるように構成されている。
【００２４】
以上の構成にかかる本実施の形態を、図４に示すフローチャートに従って説明する。
【００２５】
すなわち、駐車場２に設けられた精算装置１の筐体３３が薙ぎ倒された際には、該筐体３３が傾斜するため、内蔵の傾斜センサ４１は、これを感知してオン作動する。すると、このオン信号を受けた制御回路４２では、センサ入力時処理を呼び出して実行する。
【００２６】
このセンサ入力時処理では、前記傾斜センサからのオン信号が一定時間連続して入力されるか否かを判断する（Ｓ１）。なお、この検出時間は任意に設定できるものとする。このとき、前記傾斜センサ４１からのオン信号が一定時間連続して入力されない場合には、前記筐体３３に衝撃等が加えられたが、傾くまでには至らず起立状態が維持されている為、何もせずにこの処理を終了する。これにより、一時的な前記傾斜センサ４１の作動による誤通報を回避することができる。
【００２７】
一方、前記傾斜センサ４１からのオン信号が一定時間連続していた場合には、警報器６１に信号を出力して、回転灯を点灯するとともにサイレンを鳴らす（Ｓ２）。このとき、前記回転灯の点灯時間及び前記サイレンの鳴動時間は、任意に設定できるものとする。
【００２８】
そして、通信機器６２へ信号を出力して、該通信機器６２から当該精算装置１の筐体３３が傾斜している旨を、当該精算装置１を識別するためのＩＤと共に、管理会社の管理側装置６４へ通報するとともに、警備会社の警備側装置６５へ通報する（Ｓ３）。これにより、前記管理側装置６４が設置された管理会社及び前記警備側装置６５が設置された警備会社では、何処の駐車場２の精算装置１が薙ぎ倒されたかを知ることができるため、修理に向かうなどの緊急対応が迅速に行われる。
【００２９】
次に、この時の時間や状況を、制御回路４２上に設けられたＲＡＭ等の記憶手段に記憶して（Ｓ４）、この処理を終了する。
【００３０】
このように、精算装置１の筐体３３が薙ぎ倒され、内部の現金が持ち去られたり、料金精算が出来ない恐れがある場合には、その旨を管理会社等に設けられた管理側装置６４や警備側装置６５へ送信することで、当該管理会社等では、当該精算装置１の点検や修理に向かうなどの迅速な対応を取ることができる。
【００３１】
これにより、次の点検時期まで精算装置１の異常を発見することができない場合と比較して、盗難の抑止効果や迅速なメインテナンスによる二次被害を軽減することができる。よって、営業損失を最小限に抑えることができる。
【図面の簡単な説明】
【００３２】
【図１】本発明の一実施の形態の平面を示す説明図である。
【図２】同実施の形態の駐車区画を示す説明図である。
【図３】同実施の形態を示すブロック図である。
【図４】同実施の形態の動作を示すフローチャートである。
【符号の説明】
【００３３】
１    精算装置
２    駐車場
３    駐車区画
３３    筐体
４１    傾斜センサ
４２    制御回路
６４    管理側装置
【図１】
2005316789.tif 000003
【図２】
2005316789.tif 000004
【図３】
2005316789.tif 000005
【図４】
2005316789.tif 000006